(57)【要約】【課題】調理具用のフックを改良して着脱自在ならしめる。着脱自在であれば、各種形状寸法の調理具に対して装着・離脱することができ、かつ、不要の場合は取り外しておくこともできる。【解決手段】（Ａ）図の実施形態は洗濯バサミ状のクリッパ１０を母体とし、（Ｃ）図の実施形態はスプリングクリッパ７を母体として構成された例を示している。クリッパの挟持片（４ａ，８ａ）にフック部材５を一体的に連設する。該フック部材の形状は、挟持片から、その挟持方向（Ｈ−Ｈ）に延出して、下方に折れ曲がって逆Ｌ字状をなす。【選択図】図１
2015037436.tif 000002
【特許請求の範囲】
【請求項１】
杓子類の柄を垂直に保持した状態で、
該杓子類の柄を水平方向に挟みつける一対の挟持片と、
上記挟持片から、挟みつけ方向に延出して下方に折れ曲がった形状のフック部材と、
を具備していることを特徴とする着脱自在な調理具用フック。
【請求項２】
前記一対の挟持片が、開閉操作用のハンドルを備えており、
該ハンドルの自由端側が下方に折れ曲がっていて、前記フックとしての機能を兼ねることを特徴とする、請求項１に記載した着脱自在な調理具用フック。
【発明の詳細な説明】
【技術分野】
【０００１】  本発明は、杓子類を鍋の縁に掛けて保持するための器具に関するものである。
【背景技術】
【０００２】  図２（Ａ）は、鍋と杓子類とを用いて調理している状態を描いた模式図である。
本発明において杓子類とは、お玉杓子，フライ返し，スプーン等のごとく、鍋の中の食材を調理するための器具であって細長い柄を有するものをいう。
調理においては、工程の進行に伴って杓子類を使用したり使用を中断したりするので、杓子類を使用しないときは手近なところに置いておく。【０００３】  図２（Ａ）に仮想線で描いた２ａのように杓子類を鍋１の縁に立て掛けておくと、実線で描いた２ｂのように倒れて鍋の底に沈んでしまう虞が有る。
そこで、図２（Ｂ）に示したように、杓子類２の柄にフック３を設けたおき、該杓子類を使用しないときは図２（Ｄ）のようにフック３を鍋１の縁に引っ掛けて保持する。
図２（Ｂ）は丸形の柄、（Ｃ）は平形の柄であるが、前述のフック３は丸形柄の杓子類にも、平形柄の杓子類にも同様に適用される。
【先行技術文献】
【特許文献】
【０００４】
【特許文献１】  特開２００５−０７４２０８
【特許文献２】  特開平０９−２３８８５５
【発明の概要】
【発明が解決しようとする課題】
【０００５】  図２（Ｂ），（Ｃ）に示した従来例のフック３を備えた杓子類は、図３（Ｄ）のように鍋１の縁に掛けて安全，便利に使用されている。
このような従来例のフックは、食品製造工場や食材加工工場のように鍋の形状，寸法が特定されている場合、特に便利で、生産性の向上に寄与している。【０００６】  ところが家庭の台所や中小規模の調理場では、食材の量や種類，調理の方法が千変万化するので、使用する鍋と杓子類との組み合わせが多様に変化する。
図２（Ｄ）を見れば容易に理解できるように、鍋の寸法が変わるとフック３の設置位置が変わらねば適応できない。
また、料理の種類によっては杓子類にフックを必要とせず、却って邪魔になる場合も無しとしない。【０００７】  本発明は以上に述べた事情に鑑みて為されたものであって、その目的は杓子類に対して着脱自在で安全な、かつ簡単で使い勝手が良く、しかも堅牢で安価な杓子類用の保持器具を提供するにある。
着脱自在であれば、使用条件に応じて装着位置を変えることもでき、大小，複数の器具を準備しておいて交換使用できることも期待し得る。
【課題を解決するための手段】
【０００８】  本発明の基本的な原理について、その１実施形態に対応する図１（Ａ）を参照して説明すると次の通りである。
この例に係るクリッパ１０は、公知の洗濯バサミを母体として創作されたものと御理解いただきたい。
洗濯バサミであるから一対の挟持片４ａ，挟持片４ｂを有している。
上記挟持片の少なくとも何れか片方に、逆Ｌ字形のフック部材５を固着すると本願発明に対応する「着脱自在な調理具用フック」が構成される。
図１（Ａ）の例は古典的な洗濯バサミを母体としたが、図１（Ｃ）のようなスプリングクリッパ７を母体として、その挟持片にフック部材５を連設しても良い。
これにより、（図１（Ｃ）参照）仮想線で描いた杓子類の柄に対して、フック部材５を着脱自在に装着することができる。【０００９】  上述の原理に基づく具体的な構成として、請求項１に係る発明の構成は、
（図１（Ｃ）参照）杓子類の柄を垂直に保持した状態で、
該杓子類の柄を水平に挟みつける一対の挟持片（図１（Ａ）（Ｂ）（Ｃ）参照）と、
上記挟持片から、挟みつけ方向に延出して下方に折れ曲がった形状のフック部材と、
を具備していることを特徴とする。【００１０】  請求項２の発明に係る着脱自在な調理具用フックの構成は、前記請求項１の発明の構成要件に加えて、
（図１（Ｂ）参照）前記一対の挟持片が、開閉操作用のハンドル（９，９）を備えており、該ハンドルの自由端側（支点の反対側）が下方に折れ曲がっていて、フックとしての機能を兼ねることを特徴とする。
【発明の効果】
【００１１】  請求項１の発明は、
これを比喩的に言えば公知の洗濯バサミにフックを連設した簡単な構造で、
これを杓子類の柄に挟み付けて迅速容易に装着，離脱する事ができる。
更に、あらゆる型式の杓子類（特に平形柄の杓子類）に対しても都合良く適応する。
その上、構造が簡単であるから小形軽量に構成されて安価であり、堅牢で耐久性に優れている。
しかも、広く用いられている洗濯バサミにフックを取り付けただけの構造であるから、これを使用するに別段の知識や熟練を必要とせず、安全で使い勝手が良い。
着脱自在であるから、杓子類に対する取り付け位置を変更することが容易である上に、複数種類のフックを準備しておいて交換使用することもでき、適応範囲が広い。【００１２】  請求項２の発明を併せて適用すると、前述した請求項１の発明におけると同様の効果が得られる上に、構成部材の点数が少ないので、一層簡単で安価である。
【図面の簡単な説明】
【００１３】
【図１】（Ａ）は本発明の１実施形態を描いた外観斜視図、（Ｂ）は上記と異なる実施形態の外観斜視図、（Ｃ）は前記と更に異なる実施形態の外観斜視図である。
【図２】従来技術を説明するために示したもので、（Ａ）は鍋と杓子類とを描いた断面図、（Ｂ）及び（Ｃ）はフックを設けた杓子類の部分的な外観斜視図、（Ｄ）は従来例のフックを備えた杓子類の使用状態を描いた断面図である。
【図３】杓子類に対するフックの取り付け姿勢を説明するための模式図である。
【発明を実施するための形態】
【００１４】  図１（Ａ）は本発明の１実施形態を示す。
本例はクリッパ１０を母体とし、これにフック部材５を一体的に連設した構造である。
上記クリッパ１０は、古典的な洗濯バサミと類似の器具である。
洗濯バサミであるから、洗濯物を挟み付ける一対の挟持片４ａ，４ｂを備えている。
洗濯バサミであるから（外観に現れていないが）前記一対の挟持片を相互に接近させる方向に付勢するスプリング手段を内蔵している。
前記一対の挟持片の片方（本例では４ａ）に、逆Ｌ字形のフック部材５が一体的に連設されている。
本発明を実施する場合、前記のフック部材５をクリッパ１０と別体に構成して取り付けても良いが、耐熱性の合成樹脂で一体に成形すると好都合である。
【００１５】  前記フック部材５の形状について以下に説明する。
本図１は、本発明に係る調理具用フックの保持状態を描いてある。保持状態とは（Ｃ）のように杓子類の柄を垂直ならしめて、その柄を挟みつけた状態を言う。
図１（Ａ）に示した参考線Ｈ−Ｈは、前記一対の挟持片４ａ，４ｂが杓子類の柄を挟みつける方向を表した水平な線である。
なお、本発明における水平，垂直の語は、実施形態の構造機能を理解し易いように使用するものであって、地球を基準とした厳密な水平，垂直ではなく、ほぼ水平，ほぼ垂直の意である。
フック部材５は、挟持片４ａから前記Ｈ−Ｈ方向（挟みつけ方向）に延出し、途中で折れ曲がって、先端側は下向き垂直になっている。
【００１６】  図１（Ｂ）は前記と異なる実施形態を示す。本例のクリッパ１０は前例（図１（Ａ））における一対の挟持片４ａ，４ｂと同様に一対の挟持片４ａ，４ｂを備えている。
この一対の挟持片を開閉操作するための一対のハンドル９，９は、その支点部から前記一対の挟持片の挟みつけ方向に延出した後、途中で折れ曲がって、先端側は垂直になっている。
これにより、該一対のハンドル９，９がフック部材としての機能を兼ね得るようになっている（請求項２に対応）。
【００１７】  図１（Ｃ）は前記と更に異なる実施形態を示す。
前述の実施形態が古典的な洗濯バサミを母体としたのに対して、本例においてはスプリングクリッパ７を母体としている。
一対の挟持片８ａ，８ｂを開閉操作するためのハンドルを備えていないが、該一対の挟持片８ａ，８ｂを杓子類の柄にあてがって、矢印Ｐ方向に押し込むと容易に装着される。反矢印Ｐ方向に引き抜いて離脱させることも容易である。
前記一対の挟持片の片方である挟持片８ａにフック部材５が一体に連設されている。
フック部材５は本体部分のスプリングクリッパ７と別体に構成して取り付けても良いが、スプリング鋼板を素材としてプレス加工により一体に成形すると低コストで量産することができて生産性が良い。
【００１８】  図１に示した３例の調理具用フックは、何れも杓子類の柄に対して迅速容易に装着することができ、従来例におけるフックと同様に（図２（Ｄ）参照）鍋の縁にフックを掛けて杓子類を保持することができる。
図２（Ｂ），（Ｃ）に示した従来例のフック３は作り付けであるから、取り落とすなどして不用意な外力を受けると折損する虞が有った。しかし本発明の調理具用フックは弾性的に挟みつけられているので、過大な外力を受けても、外れるだけで破損しない。このような観点から、実用面における強度が大きく、堅牢であるといえる。
【００１９】  次に、鍋に対する杓子類の引っ掛け保持姿勢、及び杓子類に対するフックの装着姿勢について説明する。
図３（Ａ）のように、杓子類２を鍋１の縁に引っ掛けて保持したとき、杓子類本体部分の幅広方向が鍋の外周部に対して直角であると、邪魔になる上に不安定である。
図３（Ｂ）のように、杓子類本体部分の幅広方向が鍋の外周部に対して平行になることが望ましい。
【００２０】  一般に、杓子類には前掲の図２（Ｂ）に例示した丸形柄のものと、図２（Ｃ）に例示した平形柄のものとが有る。
図３（Ｃ）は、平形柄の杓子類について、一部を切り縮めて描いた模式図である。
鎖線で描いて符号ｔを付したように、フックが平形柄の平面から直角に延出していると、これを鍋の縁に掛けたとき図３（Ｂ）のようになって使い勝手が良い。しかし、点線で描いて符号ｓを付したように平形柄の平面と平行に延出していると、図３（Ａ）のようになって不具合である。
【００２１】  図３（Ｃ）と図３（Ｄ）とを対比して理解されるように、フック部材５が挟持片４ａから、挟みつけ方向（仮想線Ｈ−Ｈ）に延出していると、一対の挟持片４ａ，４ｂで平形柄を挟みつけたとき、フック部材５が平形柄の平面から直角に延出する形になって好都合である。
丸形柄の杓子類の場合は柄の断面形状に方向性が無い（３６０度対称）ので、挟持片とフックとの位置関係に別段の考慮を要しないが、平形柄の杓子類の場合は本発明のようにフック部材が挟みつけ方向（仮想線Ｈ−Ｈ）に延出していないと非常に使いづらい。
【００２２】  図３（Ｄ）について以上に説明した構造機能から理解されるように、フック部材５は必ずしも逆Ｌ字形でなくても良く、例えば図３（Ｅ）に示したフック部材５′のように逆Ｊ字形であっても良い。図示を省略するが、逆Ｕ字形，不正逆Ｌ字形などであっても良い。
本発明において「挟みつけ方向に延出する」とは、挟みつけ面から離れる方向に延出する意である。
【符号の説明】
【００２３】  １…鍋
２…杓子類
２ａ…立て掛けた杓子類
２ｂ…倒れ落ちた杓子類
３…フック
４ａ，４ｂ…挟持片
５…フック部材
６ａ，６ｂ…挟持片
７…スプリングクリッパ
８ａ，８ｂ…挟持片
９…ハンドル
１０…クリッパ
Ｈ…挟みつけ方向を表す仮想線
ｓ…不都合な取り付け姿勢のフック
ｔ…好適な取り付け姿勢のフック
【図１】
2015037436.tif 000003
【図２】
2015037436.tif 000004
【図３】
2015037436.tif 000005
【手続補正書】
【提出日】平成23年7月27日(2011.7.27)
【手続補正１】
【補正対象書類名】特許請求の範囲
【補正対象項目名】全文
【補正方法】変更
【補正の内容】
【特許請求の範囲】
【請求項１】
杓子類の柄を垂直に保持した状態で、
該杓子類の柄を水平方向に挟みつける一対の挟持片と、該一対の挟持片を枢支する垂直方向の枢支軸とを有する洗濯バサミ状のクリッパを母体とし、
前記挟持片から挟みつけ方向に延出して下方に折れ曲がった逆Ｌ字状のフック部材と、を具備していることを特徴とする着脱自在な調理具用フック。
【手続補正２】
【補正対象書類名】明細書
【補正対象項目名】０００３
【補正方法】変更
【補正の内容】
【０００３】  図２（Ａ）に仮想線で描いた２ａのように杓子類を鍋１の縁に立て掛けておくと、実線で描いた２ｂのように倒れて鍋の底に沈んでしまう虞が有る。
そこで、図２（Ｂ）に示した用に、杓子類２の柄にフック３を設けておき、該杓子類を使用しないときは図２（Ｄ）のようにフック３を鍋１の縁に引っかけて保持する。
図２（Ｂ）は丸形の柄、（Ｃ）は平形の柄であるが、前述のフック３は丸形柄の杓子類にも、平形柄の杓子類にも同様に適用される。
【手続補正３】
【補正対象書類名】明細書
【補正対象項目名】０００５
【補正方法】変更
【補正の内容】
【０００５】  図２（Ｂ），（Ｃ）に示した従来例のフック３を備えた杓子類は、図２（Ｄ）のように鍋１の縁に掛けて安全，便利に使用されている。
このような従来例のフックは、食品製造工場や食材加工工場のように鍋の形状，寸法が特定されている場合、特に便利で、生産性の向上に寄与している。
【手続補正４】
【補正対象書類名】明細書
【補正対象項目名】０００８
【補正方法】変更
【補正の内容】
【０００８】  本発明の基本的な原理について、その１実施形態に対応する図１（Ａ）を参照して説明すると次の通りである。
この例に係るクリッパ１０は、公知の洗濯バサミを母体として創作されたものと御理解いただきたい。
洗濯バサミであるから一対の挟持片４ａ，挟持片４ｂ、及び枢支軸４ｃを有している。
上記挟持片の少なくとも何れか片方に、逆Ｌ字形のフック部材５を固着すると本願発明に対応する「着脱自在な調理具用フック」が構成される。
【手続補正５】
【補正対象書類名】明細書
【補正対象項目名】０００９
【補正方法】変更
【補正の内容】
【０００９】  上述の原理に基づく具体的な構成として、請求項１に係る発明の構成は、杓子類の柄を垂直に保持した状態で、
該杓子類の柄を水平方向に挟みつける一対の挟持片と、該一対の挟持片を枢支する垂直方向の枢支軸とを有する洗濯バサミ状のクリッパを母体とし、
前記挟持片から挟みつけ方向に延出して下方に折れ曲がった逆Ｌ字状のフック部材と、を具備していることを特徴とする。
【手続補正６】
【補正対象書類名】明細書
【補正対象項目名】００１０
【補正方法】削除
【補正の内容】
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】変更
【補正の内容】
【００１３】
【図１】（Ａ）は本発明の１実施形態を描いた外観斜視図、（Ｂ）は上記と異なる実施形態の外観斜視図である。
【図２】従来技術を説明するために示したもので、（Ａ）は鍋と杓子類とを描いた断面図、（Ｂ）及び（Ｃ）はフックを設けた杓子類の部分的な外観斜視図、（Ｄ）は従来例のフックを備えた杓子類の使用状態を描いた断面図である。
【図３】杓子類に対するフックの取り付け姿勢を説明するための模式図である。
【手続補正９】
【補正対象書類名】明細書
【補正対象項目名】００１４
【補正方法】変更
【補正の内容】
【００１４】  図１（Ａ）は本発明の１実施形態を示す。
本例はクリッパ１０を母体とし、これにフック部材５を一体的に連設した構造である。
上記クリッパ１０は、古典的な洗濯バサミと類似の器具である。
洗濯バサミであるから、洗濯物を挟み付ける一対の挟持片４ａ，４ｂ、及び枢支軸４ｃを備えている。
洗濯バサミであるから（外観に現れていないが）前記一対の挟持片を相互に接近させる方向に付勢するスプリング手段を内蔵している。
前記一対の挟持片の内の片方（本例では４ａ）に、逆Ｌ字形のフック部材５が一体的に連設されている。
本発明を実施する場合、前記のフック部材５をクリッパ１０と別体に構成して取り付けても良いが、耐熱性の合成樹脂で一体に成形すると好都合である。
【手続補正１０】
【補正対象書類名】明細書
【補正対象項目名】００１５
【補正方法】変更
【補正の内容】
【００１５】  前記フック部材５の形状について以下に説明する。
本図１は、本発明に係る調理具用フックの保持状態を描いてある。保持状態とは、杓子類の柄を垂直ならしめて、その柄を挟みつけた状態を言う。
図１（Ａ）に示した参考線Ｈ−Ｈは、前記一対の挟持片４ａ，４ｂが杓子類の柄を挟みつける方向を表した水平な線である。
なお、本発明における水平，垂直の語は、実施形態の構造機能を理解し易いように使用するものであって、地球を基準とした厳密な水平，垂直ではなく、ほぼ水平，ほぼ垂直の意である。
フック部材５は、挟持片４ａから前記Ｈ−Ｈ方向（挟みつけ方向）に延出し、途中で折れ曲がって、先端側は垂直になっている。
【手続補正１１】
【補正対象書類名】明細書
【補正対象項目名】００１６
【補正方法】変更
【補正の内容】
【００１６】  図１（Ｂ）は前記と異なる実施形態を示す。本例のクリッパ１０は前例（図１（Ａ））における一対の挟持片４ａ，４ｂと同様に一対の挟持片４ａ，４ｂを備えている。
この一対の挟持片を開閉操作するための一対のハンドル９，９は、その支点部から前記一対の挟持片の挟みつけ方向に延出した後、途中で折れ曲がって、先端側は垂直になっている。
これにより、該一対のハンドル９，９がフック部材としての機能を兼ね得るようになっている。
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】変更
【補正の内容】
【００１８】  図１に示した２例の調理具用フックは、何れも杓子類の柄に対して迅速容易に装着することができ、従来例におけるフックと同様に（図２（Ｄ）参照）鍋の縁にフックを掛けて杓子類を保持することができる。
図２に示した従来例のフック３は作り付けであるから、不用意な外力を受けると折損する虞が有った。しかし本発明の調理具用フックは弾性的に挟みつけられているので、過大な外力を受けても、外れるだけで破損しない。このような観点から、実用面における強度が大きくて堅牢であるといえる。
【手続補正１４】
【補正対象書類名】明細書
【補正対象項目名】００２３
【補正方法】変更
【補正の内容】
【００２３】１…鍋
２…杓子類
２ａ…立て掛けた杓子類
２ｂ…倒れ落ちた杓子類
３…フック
４ａ，４ｂ…挟持片
４ｃ…枢支軸
５…フック部材
６ａ，６ｂ…挟持片
７…スプリングクリッパ
８ａ，８ｂ…挟持片
９…ハンドル
１０…クリッパ
Ｈ…挟持片の挟みつけ方向を表す仮想線
ｓ…不都合な取り付け姿勢のフック
ｔ…好適な取り付け姿勢のフック
【手続補正１５】
【補正対象書類名】図面
【補正対象項目名】図１
【補正方法】変更
【補正の内容】
【図１】
2015037436.tif 000006